(57)【要約】【課題】ハウジング内での読取モジュールの着脱作業を容易にし得る光学的情報読取装置を提供する。【解決手段】ハウジング１１内に設けられて当該ハウジング１１に収容される読取モジュール２０を押圧して支持する支持状態とこの押圧が解除される解除状態とを切り替え可能な支持機構５０が設けられている。この支持機構５０の各支持部材６０は、支持状態では、第１固定部６２および第２固定部６３を近接させる方向にスライド部材５１が移動することで押圧部６１が押圧方向に移動して読取モジュール２０を押圧し、解除状態では、第１固定部６２および第２固定部６３を離間させる方向にスライド部材５１が移動することで押圧部６１が反押圧方向に移動して読取モジュール２０に対する押圧を解除する。【選択図】図３
2010176405.tif 000002
【特許請求の範囲】
【請求項１】
情報コードを光学的に読み取り可能な読取モジュールと、
開口部が形成されてこの開口部を介して前記読取モジュールを収容可能なハウジングと、
前記ハウジングに設けられて前記読取モジュールを制御可能な制御部と、
前記ハウジング内に設けられて当該ハウジングに収容される前記読取モジュールを押圧して支持する支持状態とこの押圧が解除される解除状態とを切り替え可能な支持機構と、
を備える光学的情報読取装置であって、
前記支持機構は、
前記ハウジングに対して往復動可能に支持されるスライド部材とこのスライド部材の往復動に応じて押圧部が前記読取モジュールを押圧する押圧方向または反押圧方向に移動する複数の支持部材とを備え、
前記支持部材は、
前記スライド部材に固定されて当該スライド部材とともに往復動する第１固定部と、
前記ハウジングに固定される第２固定部と、
前記第１固定部に一側端にて傾動自在に連結される第１連結部と、
前記第２固定部に一側端にて傾動自在に連結される第２連結部と、
を有し、前記第１連結部の他側端および前記第２連結部の他側端の双方が前記押圧部に傾動自在に連結され、
前記支持状態では、前記第１固定部および前記第２固定部を近接させる方向に前記スライド部が移動することで前記押圧部が前記押圧方向に移動して前記読取モジュールを押圧し、
前記解除状態では、前記第１固定部および前記第２固定部を離間させる方向に前記スライド部が移動することで前記押圧部が前記反押圧方向に移動して前記読取モジュールに対する押圧を解除することを特徴とする光学的情報読取装置。
【請求項２】
前記支持機構は、前記スライド部を、前記支持状態に対応する位置と前記解除状態に対応する位置とのいずれかに移動させる切替手段を備えることを特徴とする請求項１に記載の光学的情報読取装置。
【請求項３】
前記押圧部は、弾性変形可能な弾性体からなることを特徴とする請求項１または２に記載の光学的情報読取装置。
【請求項４】
前記支持機構は、前記読取モジュールを前記開口部側へ付勢する付勢手段を備えることを特徴とする請求項１〜３のいずれか一項に記載の光学的情報読取装置。
【請求項５】
前記読取モジュールおよび前記制御部を電気的に接続するケーブルと、
前記ハウジング内に設けられて前記ケーブルが内部に引き込み可能に付勢されかつ当該内部から引き出し可能な引込機構と、
を備えることを特徴とする請求項１〜４のいずれか一項に記載の光学的情報読取装置。
【発明の詳細な説明】
【技術分野】
【０００１】
本発明は、ハウジングに対して着脱可能な読取モジュールを備える光学的情報読取装置に関するものである。
【背景技術】
【０００２】
従来、ハウジングに対して着脱可能な読取モジュールを備える光学的情報読取装置に関する技術として、下記特許文献１に示すスキャナが知られている。このスキャナは、交換可能な走査モジュールを複数備えており、各走査モジュールのいずれか一つがハウジングの上部に着脱可能に構成されている。
【０００３】
また、下記特許文献２に示すバーコード読取り装置は、右手の人差し指に取り付けるためのセンサユニットと、右手の手首に取り付けるためのデコーダユニットとが予め分離した状態で構成されている。読取モジュールとして機能するセンサユニットは、その開口部をバーコードに対向させた状態で当該開口部内に変位可能に嵌装されている可動体をバーコードに押し付けるとこの可動体がトリガースイッチを押動するように構成されている。
【０００４】
また、下記特許文献３に示す情報コード読取装置は、読取モジュールとして機能する一次元用光学ユニットを備えており、この一次元用光学ユニットは、そのケースが、ストレート用読取口カバーが取外された状態の筐体主部（ハウジング）のユニット収容部に対して嵌込まれた上で、取付筒部を取付ボス部の下面に突合わせた状態で、下方からねじ止めされることにより、装置本体に組付けられるようになっている。
【先行技術文献】
【特許文献】
【０００５】
【特許文献１】特開平０５−１４３７６２号公報
【特許文献２】特開２００２−１０９４６２号公報
【特許文献３】特開平０５−１９７８２８号公報
【発明の概要】
【発明が解決しようとする課題】
【０００６】
ところで、読取モジュールを上記特許文献１と同様に本体のハウジングの外部に対して着脱可能に構成する場合には、読取モジュールを装置の落下等の衝撃から保護するため読取モジュールの筐体を堅牢に形成する必要がある。また、上記特許文献２と同様に読取モジュールを本体のハウジングと常に離間させて構成する場合も読取モジュールの筐体を堅牢に形成する必要がある。
【０００７】
また、上記特許文献３の構成では、読取モジュールが本体のハウジング内に収容されるため読取モジュールの筐体を堅牢に形成する必要が少ないものの、読取モジュールをハウジング内にて着脱する毎に締結等の着脱作業が必要になり、着脱作業が煩雑になってしまうという問題がある。
【０００８】
本発明は、上述した課題を解決するためになされたものであり、その目的とするところは、ハウジング内での読取モジュールの着脱作業を容易にし得る光学的情報読取装置を提供することにある。
【課題を解決するための手段】
【０００９】
上記目的を達成するため、特許請求の範囲に記載の請求項１の発明では、情報コードを光学的に読み取り可能な読取モジュールと、開口部が形成されてこの開口部を介して前記読取モジュールを収容可能なハウジングと、前記ハウジングに設けられて前記読取モジュールを制御可能な制御部と、前記ハウジング内に設けられて当該ハウジングに収容される前記読取モジュールを押圧して支持する支持状態とこの押圧が解除される解除状態とを切り替え可能な支持機構と、を備える光学的情報読取装置であって、前記支持機構は、前記ハウジングに対して往復動可能に支持されるスライド部材とこのスライド部材の往復動に応じて押圧部が前記読取モジュールを押圧する押圧方向または反押圧方向に移動する複数の支持部材とを備え、前記支持部材は、前記スライド部材に固定されて当該スライド部材とともに往復動する第１固定部と、前記ハウジングに固定される第２固定部と、前記第１固定部に一側端にて傾動自在に連結される第１連結部と、前記第２固定部に一側端にて傾動自在に連結される第２連結部と、を有し、前記第１連結部の他側端および前記第２連結部の他側端の双方が前記押圧部に傾動自在に連結され、前記支持状態では、前記第１固定部および前記第２固定部を近接させる方向に前記スライド部が移動することで前記押圧部が前記押圧方向に移動して前記読取モジュールを押圧し、前記解除状態では、前記第１固定部および前記第２固定部を離間させる方向に前記スライド部が移動することで前記押圧部が前記反押圧方向に移動して前記読取モジュールに対する押圧を解除することを特徴とする。
【００１０】
請求項２の発明は、請求項１に記載の光学的情報読取装置において、前記支持機構は、前記スライド部を、前記支持状態に対応する位置と前記解除状態に対応する位置とのいずれかに移動させる切替手段を備えることを特徴とする。
【００１１】
請求項３の発明は、請求項１または２に記載の光学的情報読取装置において、前記押圧部は、弾性変形可能な弾性体からなることを特徴とする。
【００１２】
請求項４の発明は、請求項１〜３のいずれか一項に記載の光学的情報読取装置において、前記支持機構は、前記読取モジュールを前記開口部側へ付勢する付勢手段を備えることを特徴とする。
【００１３】
請求項５の発明は、請求項１〜４のいずれか一項に記載の光学的情報読取装置において、前記読取モジュールおよび前記制御部を電気的に接続するケーブルと、前記ハウジング内に設けられて前記ケーブルが内部に引き込み可能に付勢されかつ当該内部から引き出し可能な引込機構と、を備えることを特徴とする。
【発明の効果】
【００１４】
請求項１の発明では、ハウジング内に設けられて当該ハウジングに収容される読取モジュールを押圧して支持する支持状態とこの押圧が解除される解除状態とを切り替え可能な支持機構が設けられている。この支持機構は、ハウジングに対して往復動可能に支持されるスライド部材とこのスライド部材の往復動に応じて押圧部が読取モジュールを押圧する押圧方向または反押圧方向に移動する複数の支持部材とを備えている。そして、支持部材は、スライド部材とともに往復動する第１固定部と、ハウジングに固定される第２固定部と、第１固定部に一側端にて傾動自在に連結される第１連結部と、第２固定部に一側端にて傾動自在に連結される第２連結部と、を有し、第１連結部の他側端および第２連結部の他側端の双方が押圧部に傾動自在に連結されている。そして、支持部材は、支持状態では、第１固定部および第２固定部を近接させる方向にスライド部が移動することで押圧部が押圧方向に移動して読取モジュールを押圧し、解除状態では、第１固定部および第２固定部を離間させる方向にスライド部が移動することで押圧部が反押圧方向に移動して読取モジュールに対する押圧を解除する。
【００１５】
このようにスライド部材の移動に応じて、支持状態では押圧部が押圧方向に移動して読取モジュールが押圧され、解除状態では押圧部が反押圧方向に移動して読取モジュールに対する押圧が解除されるため、ハウジング内での読取モジュールの着脱作業を容易にすることができる。
【００１６】
請求項２の発明では、支持機構は、スライド部を支持状態に対応する位置と解除状態に対応する位置とのいずれかに移動させる切替手段を備えるため、この切替手段を操作することで、支持機構を支持状態および解除状態のいずれかの状態に容易に切り替えることができる。
【００１７】
請求項３の発明では、押圧部は、弾性変形可能な弾性体から構成されているため、支持状態では読取モジュールが押圧部により弾性的に支持されることとなり、支持機構の各部品精度や組付精度を高くすることなく、読取モジュールを確実に支持することができる。
【００１８】
請求項４の発明では、支持機構は、読取モジュールを開口部側へ付勢する付勢手段を備えるため、支持機構が支持状態から解除状態になると、読取モジュールが付勢手段により開口部側へ自動的に移動するので、ハウジング内からの読取モジュールの取出作業を容易にすることができる。
【００１９】
請求項５の発明では、読取モジュールおよび制御部を電気的に接続するケーブルが、ハウジング内に設けられる引込機構により、当該引込機構の内部に引き込み可能に付勢されかつその内部から引き出し可能に構成されているため、読取モジュールをハウジング内から取り出す場合には引込機構からケーブルが引き出され、読取モジュールをハウジング内に収容する場合には引込機構にケーブルが引き込まれるので、ケーブルが着脱作業の邪魔にならなくなり着脱作業を容易にすることができる。
【図面の簡単な説明】
【００２０】
【図１】本実施形態に係るバーコードリーダの構成概要を一部断面で示す側面図である。
【図２】本実施形態に係る支持機構の構成を説明するための説明図である。
【図３】支持機構による読取モジュールの着脱工程を説明するための部分断面図であり、図３（Ａ）は支持状態を示し、図３（Ｂ）は解除状態を示す。
【発明を実施するための形態】
【００２１】
以下、本発明の光学的情報読取装置をバーコードリーダに適用した一実施形態について図を参照して説明する。まず、本実施形態に係るバーコードリーダ１０の構成概要を図１および図２に基づいて説明する。図１は、本実施形態に係るバーコードリーダ１０の構成概要を一部断面で示す側面図である。図２は、本実施形態に係る支持機構５０の構成を説明するための説明図である。
【００２２】
図１に示すバーコードリーダ１０は、例えば、バーコード等の情報コードを読み取る携帯型のコードリーダとして用いられるもので、主に、ハウジング１１と、このハウジング１１内に収容される読取モジュール２０、制御部３０、ケーブル４１，４２、ケーブル引込機構４３、支持機構５０および付勢部材７０と、を備えている。
【００２３】
ハウジング１１には、操作者に把持される把持部１２とは反対側にＬＣＤ等で構成される液晶表示器１３が設けられるとともに、この液晶表示器１３の近傍に矩形状の開口部１４が形成されている。把持部１２の表面には、バーコード等の情報コードに対して照射光を照射する際に押圧されるトリガーキーや、情報コードの情報や当該バーコードリーダ１０の操作に関する情報を入力可能なファンクションキーやテンキー等、情報を入力する際に操作される複数の情報入力キー１５が設けられている。なお、開口部１４には、当該開口部１４を閉塞するためのゴムチップ等の蓋部材が取り付けられてもよい。
【００２４】
読取モジュール２０は、開口部１４を介してハウジング１１内から取り出し可能であって、このようにハウジング１１内から取り出した状態またはハウジング１１内に収容した状態で情報コードに対する読取機能を発揮可能に構成されている。この読取モジュール２０には、ハウジング１１内から当該読取モジュール２０を取り出す際に把持するためのノブ２１が設けられている。また、読取モジュール２０は、ハウジング１１内に収容されるとき後述する支持状態の支持機構５０によりハウジング１１内に設けられるシリコンクッション１６に押圧されて支持されるように構成されている。このシリコンクッション１６は、支持状態の読取モジュール２０に対するがたつきを防止する役割を果たすものである。
【００２５】
読取モジュール２０は、照明光源や受光センサ（図略）等を備えており、ケーブル４１，４２を介して制御部３０に電気的に接続されている。上記照明光源は、制御部３０から入力される制御信号に応じて情報コードに向けて照明光を照射するように構成されている。また、上記受光センサは、情報コードからの反射光を受光し、この受光結果に応じた受光データを制御部３０に出力するように構成されている。なお、読取モジュール２０は、上記受光データを単に制御部３０に出力するだけでなく、上記受光データをデコード処理等して制御部３０に出力するように構成されてもよい。
【００２６】
制御部３０は、情報入力キー１５の操作等に応じて、読取モジュール２０へ制御信号を出力し読取モジュール２０からの受光データをデコード処理するための制御回路やメモリ等を備えている。
【００２７】
また、ハウジング１１内には読取モジュール２０や制御部３０に対して電源として機能するバッテリ（図略）が設けられており、このバッテリから制御部３０に電力が供給されるとともに、制御部３０およびケーブル４１，４２を介して読取モジュール２０に電力が供給されるように構成されている。
【００２８】
ケーブル引込機構４３は、回転自在に支持される巻取軸（図略）と、この巻取軸を巻取回転方向に付勢するぜんまいばね等の巻取用付勢部材（図略）とを備えている。そして、ケーブル４１は、一側端にて読取モジュール２０に電気的に接続されるとともに、他側端にて巻取軸に巻き取り可能に固定されている。ケーブル４１の他側端は、ケーブル引込機構４３の導通部（図略）を介してケーブル４２の一側端に電気的に接続されており、このケーブル４２の他側端は、制御部３０に電気的に接続されている。
【００２９】
これにより、ケーブル４１に対して引き出し方向の引張力が作用しない場合には、巻取用付勢部材により巻取軸が巻取回転方向に回転するように付勢されて、ケーブル４１がケーブル引込機構４３内に引き込まれる。また、ケーブル４１に対して引き出し方向の引張力が作用する場合には、巻取軸が巻取回転方向と反対方向に回転して、ケーブル４１がケーブル引込機構４３内から引き出される。なお、ケーブル引込機構４３は、特許請求の範囲に記載の「引込機構」の一例に相当する。
【００３０】
図２に示すように、支持機構５０は、ハウジング１１に対して長手方向（図２にて左右方向）にスライド（往復動）可能に支持される棒状のスライド部材５１と、このスライド部材５１をスライドさせる際に操作される操作スイッチ５２と、スライド部材５１のスライドに応じて各押圧部６１が上下動する４つの支持部材６０と、を備えている。
【００３１】
操作スイッチ５２は、その一部が開口部１４の下方に設けられる挿通孔１７から突出するように配置されている。この操作スイッチ５２は、例えば押ボタンスイッチの様に、挿通孔１７から突出する部位に対する押圧操作に応じて、挿通孔１７内に配置される連結部５２ａが押圧方向（図２にて左右方向）に２段階に変位するように構成されている。この連結部５２ａがスライド部材５１に連結されることから、操作スイッチ５２の押圧操作に応じて、スライド部材５１が第１スライド位置と第２スライド位置との間をスライドすることとなる。なお、操作スイッチ５２は、特許請求の範囲に記載の「切替手段」の一例に相当する。
【００３２】
各支持部材６０は、押圧部６１、第１固定部６２、第２固定部６３、第１連結部６４および第２連結部６５をそれぞれ備えている。押圧部６１は、弾性変形可能な円柱状の弾性体から構成されている。なお、押圧部６１は、後述するように読取モジュール２０を押圧する部位のみ弾性体で構成されてもよい。
【００３３】
第１固定部６２は、円柱状に形成されており、中央部にて長手方向に直交するように形成される貫通孔にスライド部材５１が嵌挿することで当該スライド部材５１に固定されている。第２固定部６３は、円柱状に形成されており、中央部にて長手方向に直交するように形成される貫通孔にスライド部材５１が相対移動可能に挿通している。この第２固定部６３は、ハウジング１１内に設けられる取付台１８を介して当該ハウジング１１に固定されている。
【００３４】
第１連結部６４は、平板状に形成されており、その一側端６４ａにて第１固定部６２に傾動自在に連結されるとともに、その他側端６４ｂにて押圧部６１に傾動自在に連結されている。第２連結部６５は、平板状に形成されており、その一側端６５ａにて第２固定部６３に傾動自在に連結されるとともに、その他側端６５ｂにて押圧部６１に傾動自在に連結されている。
【００３５】
これにより、各支持部材６０は、スライド部材５１が第１スライド位置にスライドするとき、第１固定部６２および第２固定部６３が近接して、スライド部材５１に対する両連結部６４，６５の傾斜角度が大きくなり、押圧部６１が押圧方向（上方向）に移動する。また、各支持部材６０は、スライド部材５１が第２スライド位置にスライドするとき、第１固定部６２および第２固定部６３が離間して、スライド部材５１に対する両連結部６４，６５の傾斜角度が小さくなり、押圧部６１が反押圧方向（下方向）に移動する。
【００３６】
付勢部材７０は、例えばばね部材であって、支持機構５０により支持される読取モジュール２０の反開口部側に近接する内壁１９に設けられており、支持状態の読取モジュール２０に当接して開口部方向へ付勢する役割を果たすものである。なお、本実施形態では、付勢部材７０は、支持機構５０の構成部材の一部であるが、支持機構５０の構成部材と異なる部材として設けられてもよい。また、付勢部材７０は、特許請求の範囲に記載の「付勢手段」の一例に相当する。
【００３７】
次に、支持機構５０による読取モジュール２０の着脱工程について、図３を用いて説明する。図３は、支持機構５０による読取モジュール２０の着脱工程を説明するための部分断面図であり、図３（Ａ）は支持状態を示し、図３（Ｂ）は解除状態を示す。
【００３８】
図３（Ａ）に示すように、支持機構５０の操作スイッチ５２の押圧操作に応じてスライド部材５１が第１スライド位置にスライドすると、押圧部６１が押圧方向に移動して読取モジュール２０の下面が押圧される支持状態となる。このような支持状態となることにより、読取モジュール２０はハウジング１１内にて押圧部６１およびシリコンクッション１６に挟持されて収容されることとなる。なお、読取モジュール２０は、付勢部材７０により開口部方向へ付勢された状態で挟持されている。
【００３９】
この状態において、トリガーキーが操作されると、読取モジュール２０の照明光源から照明光が開口部１４を介して情報コードに向けて照射され、この情報コードからの反射光が開口部１４を介して読取モジュール２０の受光センサにて受光されて、情報コードに対する読取作業が実施される。
【００４０】
このとき、押圧部６１は、弾性変形可能な弾性体から構成されているため、この押圧部６１により読取モジュール２０が弾性的に支持されることとなり、支持機構５０の各部品精度や組付精度を高くすることなく、読取モジュール２０を確実に支持することができる。また、押圧部６１の押圧により読取モジュール２０を損傷させることを防止することができる。
【００４１】
一方、図３（Ｂ）に示すように、操作スイッチ５２の押圧操作に応じてスライド部材５１が第２スライド位置にスライドすると、押圧部６１が反押圧方向に移動して読取モジュール２０に対する押圧が解除される解除状態となる。このような解除状態となることにより、読取モジュール２０は付勢部材７０の付勢力に応じて開口部側に移動するので、ノブ２１を把持して読取モジュール２０をハウジング１１内から開口部１４を介して容易に取り出すことができる。そして、このように読取モジュール２０をハウジング１１内から取り出した状態で、情報コードに対する読取作業を実施することができる。
【００４２】
このとき、ケーブル４１には読取モジュール２０の取り出しに応じた引張力が作用するため、ケーブル４１がケーブル引込機構４３内から引き出されるので、読取モジュール２０と制御部３０とのケーブル４１，４２を介する電気的接続が維持される。
【００４３】
そして、開口部１４を介して読取モジュール２０をハウジング１１内に収容した後、操作スイッチ５２の押圧操作に応じてスライド部材５１を第１スライド位置にスライドさせることにより、再度、読取モジュール２０が支持機構５０により支持される支持状態になる（図３（Ａ）参照）。
【００４４】
このとき、ケーブル４１には引張力が作用しないため、ケーブル４１がケーブル引込機構４３内に引き込まれるので、ケーブル４１が読取モジュール２０と内壁１９との間に噛み込む等して作業の邪魔にならなくなる。
【００４５】
以上説明したように、本実施形態に係るバーコードリーダ１０では、ハウジング１１内に設けられて当該ハウジング１１に収容される読取モジュール２０を押圧して支持する支持状態とこの押圧が解除される解除状態とを切り替え可能な支持機構５０が設けられている。この支持機構５０の各支持部材６０は、支持状態では、第１固定部６２および第２固定部６３を近接させる方向にスライド部材５１が移動することで押圧部６１が押圧方向に移動して読取モジュール２０を押圧し、解除状態では、第１固定部６２および第２固定部６３を離間させる方向にスライド部材５１が移動することで押圧部６１が反押圧方向に移動して読取モジュール２０に対する押圧を解除する。
【００４６】
このようにスライド部材５１の移動に応じて、支持状態では押圧部６１が押圧方向に移動して読取モジュール２０が押圧され、解除状態では押圧部６１が反押圧方向に移動して読取モジュール２０に対する押圧が解除されるため、ハウジング１１内での読取モジュール２０の着脱作業を容易にすることができる。
【００４７】
また、本実施形態に係るバーコードリーダ１０では、支持機構５０は、スライド部材５１を第１スライド位置（支持状態に対応する位置）と第２スライド位置（解除状態に対応する位置）とのいずれかに移動させる操作スイッチ５２を備えるため、この操作スイッチ５２を操作することで、支持機構５０を支持状態および解除状態のいずれかの状態に容易に切り替えることができる。
【００４８】
さらに、本実施形態に係るバーコードリーダ１０では、押圧部６１は、弾性変形可能な弾性体から構成されているため、支持状態では読取モジュール２０が押圧部６１により弾性的に支持されることとなり、支持機構５０の各部品精度や組付精度を高くすることなく、読取モジュール２０を確実に支持することができる。
【００４９】
また、本実施形態に係るバーコードリーダ１０では、支持機構５０は、読取モジュール２０を開口部側へ付勢する付勢部材７０を備えるため、支持機構５０が支持状態から解除状態になると、読取モジュール２０が付勢部材７０により開口部側へ自動的に移動するので、ハウジング１１内からの読取モジュール２０の取出作業を容易にすることができる。
【００５０】
さらに、本実施形態に係るバーコードリーダ１０では、読取モジュール２０および制御部３０を電気的に接続するためのケーブル４１が、ハウジング１１内に設けられるケーブル引込機構４３により、当該ケーブル引込機構４３の内部に引き込み可能に付勢されかつその内部から引き出し可能に構成されている。このため、読取モジュール２０をハウジング１１内から取り出す場合にはケーブル引込機構４３からケーブル４１が引き出され、読取モジュール２０をハウジング１１内に収容する場合にはケーブル引込機構４３にケーブル４１が引き込まれるので、ケーブル４１が着脱作業の邪魔にならなくなり着脱作業を容易にすることができる。
【００５１】
なお、本発明は上記実施形態に限定されるものではなく、以下のように具体化してもよく、その場合でも、上記実施形態と同等の作用・効果が得られる。
（１）支持機構５０の支持部材６０は、４つ設けられることに限らず、２つまたは３つ設けてもよいし、５つ以上設けてもよい。
【００５２】
（２）操作スイッチ５２は、押ボタンスイッチの様に構成されることに限らず、スライド部材５１のスライド位置を少なくとも２段階（第１スライド位置および第２スライド位置）に切り替え可能な構成であればよい。
【００５３】
（３）ケーブル４１，４２が着脱作業の邪魔にならない場合には、ケーブル引込機構４３を採用することなく、１つのケーブルにて読取モジュール２０と制御部３０とを電気的に接続してもよい。
【００５４】
（４）なお、上述した実施形態では、光学的情報読取装置として、バーコードリーダを例示して説明したが、これに限られることはなく、例えば、二次元コードリーダなどのハウジングに対して着脱可能な読取モジュールを備える装置であれば、上述と同様に作用および効果を得ることができる。
【符号の説明】
【００５５】
１０…バーコードリーダ（光学的情報読取装置）
１１…ハウジング
１４…開口部
２０…読取モジュール
３０…制御部
４１，４２…ケーブル
４３…ケーブル引込機構（引込機構）
５０…支持機構
５１…スライド部材
５２…操作スイッチ（切替手段）
６０…支持部材
６１…押圧部
６２…第１固定部
６３…第２固定部
６４…第１連結部
６５…第２連結部
７０…付勢部材（付勢手段）
【図１】
2010176405.tif 000003
【図２】
2010176405.tif 000004
【図３】
2010176405.tif 000005